(57)【要約】【課題】主電池または補助電池の交換を効率的に行うことができる検知器を提供することを課題とする。【解決手段】検知器１において、電源供給を行う主電池８と、主電池８からの電源供給が行われないときに電源供給を行う補助電池９と、主電池８と補助電池９とのそれぞれの電池残量を検出する残量検出手段６と、主電池８の電池残量が第一所定Ａレベル以下であること、または、補助電池９の電池残量が第一所定Ｂレベル以下であることを残量検出手段６が検出したときに報知する報知手段５と、を備えるものである。【選択図】図１
2016223816.tif 000002
【特許請求の範囲】
【請求項１】
電源供給を行う主電池と、
前記主電池からの電源供給が行われないときに電源供給を行う補助電池と、
前記主電池と前記補助電池とのそれぞれの電池残量を検出する残量検出手段と、
前記主電池の電池残量が第一所定Ａレベル以下であること、または、前記補助電池の電池残量が第一所定Ｂレベル以下であることを前記残量検出手段が検出したときに報知する報知手段と、を備える、検知器。
【請求項２】
前記報知手段は、前記主電池の電池残量が前記第一所定Ａレベルよりも高い値の第二所定Ａレベル以下であり且つ前記補助電池の電池残量が前記第一所定Ｂレベルよりも高い値の第二所定Ｂレベル以下であること、を前記残量検出手段が検出したときに報知する、
請求項１記載の検知器。
【請求項３】
前記報知手段は、前記主電池の電池残量が前記第一所定Ａレベル以下であるときに報知する態様と、前記補助電池の電池残量が前記第一所定Ｂレベル以下であるときに報知する態様と、前記主電池の電池残量が前記第二所定Ａレベル以下であり且つ前記補助電池の電池残量が前記二所定Ｂレベル以下であるときに報知する態様と、が異なるように構成される、
請求項２記載の検知器。
【請求項４】
検知対象を検出する検知手段を含む機能部を備え、
前記主電池は、前記機能部に電源供給を行い、
前記補助電池は、前記検知手段には電源供給を行わない、
請求項１から３のいずれか一項に記載の検知器。
【発明の詳細な説明】
【技術分野】
【０００１】
本発明は、検知器の技術に関する。
【背景技術】
【０００２】
従来、周辺大気中における所定の被検知ガスを検知する検知器の技術は公知となっている（特許文献１参照）。
前記検知器では、定期的に（例えば一回／一日）バンプテスト（機能検査）等が作業者によって行われる。このような機能検査が行われると、作業者によって検査内容とともに検査時間が手書で記録される。
【０００３】
また、検知器には、計時手段と記憶装置とを備え、検知した情報や警報した情報等を当該検知等した時間とともに記憶する構成のものがあるが、前記記憶された情報はユーザに利用されることを想定しておらず、例えば機能検査時に作業者によって操作されても前記記憶された情報を引出すことはできない。
そして、検知器において、作業者によってこのような情報を引出せるようにして、前記記憶された情報を有効に活用することができる構成とすることが検討されている。
【先行技術文献】
【特許文献】
【０００４】
【特許文献１】特開２０１３−２９４７３号公報
【発明の概要】
【発明が解決しようとする課題】
【０００５】
しかしながら、前記検知器では、主電池の取換え時等において主電池から計時手段に電源が供給されなくなることから、主電池から電源が供給されないときに計時手段に電源供給を行う補助電池を備える構成とすることが考えられる。
もっとも、主電池または補助電池の交換を定期的に行うこととすると、電池残量が十分にあるにもかかわらず主電池または補助電池を交換することとなり、メンテナンス費用が嵩むことが問題となる。
【０００６】
本発明は以上の如き状況に鑑みてなされたものであり、主電池または補助電池の交換を効率的に行うことができる検知器を提供することを課題とする。
【課題を解決するための手段】
【０００７】
本発明の解決しようとする課題は以上の如くであり、次にこの課題を解決するための手段を説明する。
【０００８】
即ち、請求項１においては、電源供給を行う主電池と、前記主電池からの電源供給が行われないときに電源供給を行う補助電池と、前記主電池と前記補助電池とのそれぞれの電池残量を検出する残量検出手段と、前記主電池の電池残量が第一所定Ａレベル以下であること、または、前記補助電池の電池残量が第一所定Ｂレベル以下であることを前記残量検出手段が検出したときに報知する報知手段と、を備える、検知器とするものである。
【０００９】
請求項２においては、前記報知手段は、前記主電池の電池残量が前記第一所定Ａレベルよりも高い値の第二所定Ａレベル以下であり且つ前記補助電池の電池残量が前記第一所定Ｂレベルよりも高い値の第二所定Ｂレベル以下であること、を前記残量検出手段が検出したときに報知するものである。
【００１０】
請求項３においては、前記報知手段は、前記主電池の電池残量が前記第一所定Ａレベル以下であるときに報知する態様と、前記補助電池の電池残量が前記第一所定Ｂレベル以下であるときに報知する態様と、前記主電池の電池残量が前記第二所定Ａレベル以下であり且つ前記補助電池の電池残量が前記二所定Ｂレベル以下であるときに報知する態様と、が異なるように構成されるものである。
【００１１】
請求項４においては、検知対象を検出する検知手段を含む機能部を備え、前記主電池は、前記機能部に電源供給を行い、前記補助電池は、前記検知手段には電源供給を行わないものである。
【発明の効果】
【００１２】
本発明の効果として、以下に示すような効果を奏する。
即ち、本発明によれば、主電池または補助電池の交換を効率的に行うことができる。
【図面の簡単な説明】
【００１３】
【図１】本発明の実施形態に係る検知器を示すブロック図。
【図２】同じく検知器の斜視図。
【図３】同じく検知器の表示部を示す図。
【図４】同じく検知器の主電池の電池残量の状態を示す図。
【図５】同じく検知器の補助電池の電池残量の状態を示す図。
【図６】同じく検知器の動作を示すフロー図。
【図７】同じく検知器の動作を示すフロー図。
【図８】同じく検知器の動作を示すフロー図。
【図９】同じく検知器の動作を示すフロー図。
【図１０】同じく検知器の動作を示すフロー図。
【図１１】同じく検知器の動作を示すフロー図。
【図１２】同じく検知器の動作を示すフロー図。
【発明を実施するための形態】
【００１４】
次に、本発明の第一実施形態に係る検知器について、図１から図６を用いて説明する。
【００１５】
図１から図５に示すように、検知器１は、検知対象（周辺大気中における所定の被検知ガス）を検知する機能、および、報知機能等を備え、持運び可能（ポータブル式）に構成される。
検知器１は、制御部２、センサ３、計時手段４、報知手段５、および、残量検出手段６等の各機能部と、操作部７と、主電池８と、補助電池９と、を備える。
【００１６】
検知器１の制御部２は、検知器１の各種の動作を制御する。
制御部２は、各種情報を記憶する記憶装置１０を有する。
【００１７】
検知器１のセンサ３は、検知対象を検知する検知手段であり、外部環境の変化を検知する。
センサ３は、被検知ガス（被検知ガスの濃度）を検知するガスセンサであり、メタンセンサ、酸素センサ、ＣＯセンサ、または、都市ガスセンサ等で構成される。センサ３では、例えば、メタンセンサはメタンガスを検出でき、酸素センサは酸素ガスを検出でき、ＣＯセンサは不完全燃焼で発生する一酸化炭素ガスを検出でき、都市ガスセンサは炭化水素ガス等の漏洩ガスを検出することができるものであれば、公知の半導体式センサ素子や接触燃焼式センサ素子等が使用できる。
【００１８】
検知器１の計時手段４は、リアルタイムクロックＩＣで構成され、検知器１の各種の作動時間を計測する。計時手段４は、例えば、バンプテスト（機能検査）を行った時間、センサ３が可動した時間、報知手段５が報知した時間、主電池８および補助電池９による電源供給時間（累計の電源供給時間）等の時間を計測する。
前記計時手段４が計測した時間に関する情報は、制御部２の記憶装置１０に記憶される。
なお、計時手段４は、制御部２のリアルタイムクロック機能で構成することもできる。このように構成することにより、検知器１をコンパクトに構成することができる。
【００１９】
検知器１の報知手段５は、検知器１の各種の状態を報知する。
報知手段５は、センサ３が検知した被検知ガスの濃度が所定値以上（所定の閾値以上）であること、または、主電池８または補助電池９の電池残量が低下したこと等を報知する。
報知手段５は、例えば、表示部１１に所定の表示をすること、ブザー音や音声を発すること、または、ランプが点灯すること等によって報知する。報知手段５は、表示部１１とランプ部１２とを備える。
【００２０】
検知器１の残量検出手段６は、主電池８または補助電池９の電池残量を検出する。
残量検出手段６は、主電池８の電池残量を検出する構成と、補助電池９の電池残量を検出する構成とが異なるもので構成される。
残量検出手段６における主電池８の電池残量を検出する構成として、制御部２によって検知される電圧の変動傾向に基づいて主電池８の電池残量が検出される。
残量検出手段６における補助電池９の電池残量を検出する構成として、計時手段４によって計測される電源供給時間（累計の電源供給時間）に基づいて補助電池９の電池残量が検出される。残量検出手段６は、補助電池９の電源供給時間（累計の電源供給時間）が所定時間以上となったときに、補助電池９の電池残量が所定Ｂレベル以下に低下したものとして、補助電池９の電池残量を検出する。
【００２１】
検知器１の操作部７は、スイッチ類やタッチパネル等の操作具によって構成され、作業者によって操作されることによってセンサ３による検知動作等を行う。
操作部７が作業者によって操作されることによって、計時手段４による補助電池９の電源供給時間（累計の電源供給時間）がリセットされる。なお、検知器１に接続されるＰＣ等を操作すること、また、補助電池９がソケットから取外されること等によっても、計時手段４による補助電池９の電源供給時間（累計の電源供給時間）がリセットされる構成とすることもできる。
【００２２】
検知器１の主電池８は、検知器１の各種（機能部）に電源供給を行う。主電池８は、電池残量が低下して、電池電圧が所定電圧以下（例えば２．１Ｖ以下）となったとき、機能部が作動しなくなる。
主電池８は、一次電池（乾電池）で構成される。主電池８は、ケース内に配置され、入替え可能とされる。
なお、検知器１の主電池８は、二次電池（充電池）で構成することもできる。
【００２３】
検知器１の補助電池９は、計時手段４に電源供給を行う。補助電池９の電池残量が、電池残量が低下して、所定電圧以下（例えば１．０５Ｖ以下）となったとき、計時手段４が作動しなくなる。
補助電池９は、一次電池（コイン電池）で構成される。補助電池９は、ケース内に配置され、入替え可能とされる。
【００２４】
次に、検知器１１における主電池８または補助電池９が計時手段４に電源供給を行う一連の動作について、図６を用いて説明する。
【００２５】
図６に示すように、まず、検知器１では、主電池８が計時手段４に電源供給を行っているか否かについて制御部２が判断する（ステップＳ１１）。
このとき、制御部２は、主電池８の電圧を検出することによって、主電池８が計時手段４に電源供給を行っているか否かについて制御部２が判断する。制御部２は、主電池８が取外された状態、または、計時手段４が動作可能な電池残量が主電池８に残っていない状態等のときには、主電池８が計時手段４に電源供給を行っていないと判断する。
主電池８が計時手段４に電源供給を行っていると制御部２が判断した場合、主電池８が計時手段４に電源供給を行っているか否かについて制御部２が判断する動作（ステップＳ１１）を繰返し行う。
主電池８が計時手段４に電源供給を行っていないと制御部２が判断した場合、ステップＳ１２に移行する。
【００２６】
次に、補助電池９が計時手段４に電源供給する動作を行う（ステップＳ１２）。
このとき、計時手段４は、補助電池９の電源供給時間（累計の電源供給時間）を計測する。
なお、補助電池９が計時手段４に電源供給する動作が行われた（ステップＳ１２）後に主電池８が計時手段４に電源供給する動作が行われた場合には、補助電池９が計時手段４に電源供給する動作を停止して、主電池８が計時手段４に電源供給を行っているか否かについて制御部２が判断する動作（ステップＳ１１）を行う。
【００２７】
以上のようにして、検知器１では、主電池８または補助電池９が計時手段４に電源供給を行う。
【００２８】
以上のように、補助電池９が主電池８から計時手段４への電源供給が行われないときに計時手段４に電源供給を行い、計時手段４が補助電池９の電源供給時間を計測する、検知器１では、補助電池９の計時手段４への電源供給時間から補助電池９の電池残量を予測して、電池残量が無くなる（電池切れ）直前まで補助電池９を使用することができ、メンテナンス費用（補助電池９の交換メンテナンス費用）が嵩むことを抑制することができる。
したがって、検知器１によれば、補助電池９の交換を効率的に行うことができる。
また、検知器１によれば、補助電池９がボタン電池のように、電池残量が無くなる（電池切れ）直前に電圧が急に低下することから電圧の変動傾向を検出しても電池残量が無くなる（電池切れ）直前であることを作業者に認識させることが困難なものであっても、補助電池９の電池残量の低下を確実に検出することができる。
【００２９】
また以上のように、補助電池９の電池残量を検出する残量検出手段６を備える、検出機では、残量検出手段６が補助電池９の電池残量を検出することから、電池残量が無くなる（電池切れ）直前まで補助電池９を使用することができ、メンテナンス費用が嵩むことを抑制することができる。
したがって、検知器１によれば、補助電池９の交換を効率的に行うことができる。
【００３０】
また以上のように、残量検出手段６が補助電池９の電源供給時間に基づいて補助電池９の電圧低下を検出する、検知器１では、残量検出手段６が補助電池９の電源供給時間に基づいて補助電池９の電圧低下を検出することから、電池残量が無くなる（電池切れ）直前まで補助電池９を使用することができ、メンテナンス費用が嵩むことを抑制することができる。
したがって、検知器１によれば、補助電池９の交換を効率的に行うことができる。
また、検知器１では、補助電池９がボタン電池のように、電池残量が無くなる（電池切れ）直前に電圧が急に低下することから電圧の変動傾向を検出しても電池残量が無くなる（電池切れ）直前であることを作業者に認識させることが困難なものであっても、補助電池９の電池残量の低下を確実に検出することができる。
【００３１】
検知器１の主電池８は、計時手段４を含む機能部（制御部２、センサ３、報知手段５、および、残量検出手段６等）に電源供給を行う。
補助電池９は、センサ３等には電源供給を行わず、計時手段４のみに電源供給を行う。
【００３２】
以上のように、補助電池９が、センサ３には電源供給を行わず、計時手段４のみに電源供給を行う、検知器１では、補助電池９がセンサ３には電源供給を行わないことから、主電池８から計時手段４への電源供給が行われないときに、センサ３に電源が供給されて電池切れすることによって補助電池９から計時手段４に電源供給が行われない状態となることを防止することができる。
また、検知器１では、補助電池９が計時手段４のみに電源供給を行うことから、主電池８から計時手段４への電源供給が行われないときに、他の機能部（センサ３等の計時手段４以外の機能部）に電源が供給されて電池切れすることによって補助電池９から計時手段４に電源供給が行われない状態となることを防止することができる。
したがって、検知器１によれば、主電池８から計時手段４への電源供給が行われないときに、電源が供給されずに検知した情報や警報した情報等を当該検知等した時間とともに記憶する動作が行われない状態となることを抑制することができる。
【００３３】
検知器１の報知手段５は、主電池８または補助電池９の電池残量が低下したことを報知する。
報知手段５は、主電池８の電池残量が低下したことを報知する態様と、補助電池９の電池残量が低下したことを報知する態様とが異なるように構成される。報知手段５は、例えば、主電池８の電池残量が低下したときと、補助電池９の電池残量が低下したときとで、表示部１１の表示態様またはランプ部１２の点灯態様がそれぞれ異なるように構成される。
【００３４】
以上のように、報知手段５が、主電池８の電池残量が低下したことを報知する態様と、補助電池９の電池残量が低下したことを報知する態様とが異なるように構成される、検知器１では、主電池８の電池残量が低下したときと補助電池９の電池残量が低下したときとで異なる態様で報知手段５が報知することから、主電池８の電池残量が低下したことと、補助電池９の電池残量が低下したことと、を作業者に誤認されることを防止することができる。
【００３５】
検知器１の報知手段５は、主電池８の電圧の変動傾向に応じて主電池８の電池残量の低下を段階的に報知する。報知手段５は、例えば、表示部１１のバーグラフ１１ａで構成される（図３参照）。このとき、報知手段５は、主電池８の電池残量が最大のときには全てのバーグラフ１１ａが点灯し、主電池８の電池残量が低下する毎に点灯するバーグラフ１１ａが減少することによって、主電池８の電池残量の低下を段階的に報知する。
【００３６】
検知器１の報知手段５は、補助電池９の電源供給時間（累計の電源供給時間）が所定時間以上となったときに、補助電池９の電池残量が所定Ｂレベル以下に低下したものとして、補助電池９の電池残量が低下したことを報知する。報知手段５は、例えば、表示部１１の時計印１１ｂで構成され、補助電池９の電源供給時間（累計の電源供給時間）が所定時間以上となったときに、表示部１１の時計印１１ｂが点灯して、補助電池９の電池残量が低下したことを報知する（図３参照）。
前記所定時間は、補助電池９の電池残量が最大のときから計時手段４が動作し続けて補助電池９の電池残量が無くなる時間（例えば、２４カ月）の９０％〜９５％の時間（例えば、約２１か月〜２３か月）に設定される。
【００３７】
以上のように、報知手段５は、主電池８の電圧の変動傾向に応じて主電池８の電池残量の低下を段階的に報知し、補助電池９の電源供給時間が所定時間以上となったときに補助電池９の電池残量が低下したことを報知する、検知器１では、主電池８の電池残量の低下を確実に報知することができ、また、補助電池９の電池残量の低下を簡易な構成で報知することができる。
【００３８】
次に、本発明の検知器１の第二実施形態について図１、図４、図５、図７から図１２を用いて説明する。
なお、図１、図４、図５、図７から図１２の検知器１の説明については、図１から図６の検知器１と同様の部分を適宜省略し、図１から図６の検知器１と異なる部分を中心に説明する。
【００３９】
図１、図４、図５に示すように、検知器１は、制御部２、センサ３、計時手段、報知手段５、および、残量検出手段６等の各機能部と、操作部７と、主電池８と、補助電池９と、を備える。
【００４０】
検知器１の残量検出手段６における主電池８の電池残量を検出する構成として、制御部２によって検知される電圧の変動傾向に基づいて主電池８の電池残量が検出される。
検知器１の残量検出手段６が、主電池８の電池残量が第一所定ＡレベルＸ１以下であることを検出したとき、報知手段５が、主電池８の電池残量が第一所定ＡレベルＸ１であることを報知する。
第一所定ＡレベルＸ１は、例えば、主電池８の最大の電池残量の約９５％に設定される。また例えば、第一所定ＡレベルＸ１は、主電池８の最大電圧値３．０Ｖのとき、２．４Ｖに設定される。
残量検出手段６による主電池８の電池残量の検出としては、所定時間毎に所定回数電圧を検出し、検出した電圧の平均値や検出された回数の多かった電圧の範囲を主電池の電池残量としてもよく、また、所定時間毎に電池残量を検出し、前回の検出値との比較によって電池残量を検出してもよい。
【００４１】
検知器１では、残量検出手段６が、主電池８の電池残量が第一所定ＡレベルＸ１よりも高い値の第二所定ＡレベルＸ２であることを検出したとき、報知手段５が、主電池８の電池残量が第二所定ＡレベルＸ２であることを報知する構成とすることもできる。
第二所定ＡレベルＸ２は、主電池８の電池残量が残り少ないことを報知する緊急性が第一所定ＡレベルＸ１よりも低いものであり、例えば、主電池８の最大の電池残量の約９７％に設定される。また例えば、第二所定ＡレベルＸ２は、主電池８の最大電圧値３．０Ｖのとき、２．６Ｖに設定される。
【００４２】
残量検出手段６が、主電池８の電池残量が第一所定ＡレベルＸ１よりも低い値の第三所定ＡレベルＸ３であることを検出したとき、報知手段５が、主電池８の電池残量が第三所定ＡレベルＸ３であることを報知する構成とすることもできる。
第三所定ＡレベルＸ３は、主電池８の電池残量が残り少ないことを報知する緊急性が第一所定ＡレベルＸ１よりも高いものであり、例えば、主電池８の最大の電池残量の約９０％に設定される。また例えば、第三所定ＡレベルＸ３は、主電池８の最大電圧値３．０Ｖのとき、２．２Ｖに設定される。
【００４３】
検知器１では、主電池８の電池残量の所定Ａレベルが、第一所定ＡレベルＸ１〜第三所定ＡレベルＸ３のうちから複数個の所定Ａレベル（例えば、第一所定ＡレベルＸ１と第二所定ＡレベルＸ２）に選択されて設定されてもよい。このとき、残量検出手段６が、主電池８の電池残量が前記設定される複数個の所定Ａレベルであることをそれぞれ検出したとき、報知手段５が、主電池８の電池残量が前記設定される複数個の所定Ａレベルであることをそれぞれ報知する。
【００４４】
以上のように、報知手段５が、主電池８の電池残量が第一所定ＡレベルＸ１〜第三所定ＡレベルＸ３のうちから選択されて設定される複数個の所定Ａレベルであることを報知する、検知器１では、主電池８の電池残量が無くなる直前であることを、主電池８の電池残量に応じて複数段階で知らせることができる。
なお、主電池８の電池残量の所定Ａレベル（前記第一所定ＡレベルＸ１〜第三所定ＡレベルＸ３のうちから選択された所定Ａレベル、または、第一所定ＡレベルＸ１〜第三所定ＡレベルＸ３の値）は、予め設定されて設定の変更ができない構成とすることもでき、操作部７を操作することによって設定を変更することができる構成とすることもできる。
【００４５】
検知器１の残量検出手段６における補助電池９の電池残量を検出する構成として、計時手段によって計測される電源供給時間（累計の電源供給時間）に基づいて補助電池９の電池残量が検出される。
残量検出手段６が、補助電池９の電池残量が第一所定ＢレベルＹ１以下であることを検出したとき、報知手段５が、補助電池９の電池残量が第一所定ＢレベルＹ１以下であることを報知する。第一所定ＢレベルＹ１は、例えば、補助電池９の最大の電池残量の約９５％に設定される。計時手段によって計測される補助電池９の電源供給時間（累計の電源供給時間）がＴ１となったときに、補助電池９の電池残量が第一所定ＢレベルＹ１以下であることが残量検出手段６によって検出されて、補助電池９の電池残量が第一所定ＢレベルＹ１以下であることを報知手段５が報知する。
【００４６】
検知器１では、残量検出手段６が、補助電池９の電池残量が第一所定ＢレベルＹ１よりも高い値の第二所定ＢレベルＹ２であることを検出したとき、報知手段５が、補助電池９の電池残量が第二所定ＢレベルＹ２であることを報知する構成とすることもできる。第二所定ＢレベルＹ２は、補助電池９の電池残量が残り少ないことを報知する緊急性が第一所定ＢレベルＹ１よりも低いものであり、例えば、補助電池９の最大の電池残量の約９７％に設定される。計時手段によって計測される補助電池９の電源供給時間（累計の電源供給時間）がＴ２となったときに、補助電池９の電池残量が第二所定ＢレベルＹ２以下であることが残量検出手段６によって検出されて、補助電池９の電池残量が第二所定ＢレベルＹ２以下であることを報知手段５が報知する。補助電池９の電源供給時間（累計の電源供給時間）Ｔ２は、Ｔ１よりも短い累計時間で設定される。
【００４７】
残量検出手段６が、補助電池９の電池残量が第一所定ＢレベルＹ１よりも低い値の第三所定ＢレベルＹ３であることを検出したとき、報知手段５が、補助電池９の電池残量が第三所定ＢレベルＹ３であることを報知する構成とすることもできる。第三所定ＢレベルＹ３は、補助電池９の電池残量が残り少ないことを報知する緊急性が第一所定ＢレベルＹ１よりも高いものであり、例えば、補助電池９の最大の電池残量の約９０％に設定される。計時手段によって計測される補助電池９の電源供給時間（累計の電源供給時間）がＴ３となったときに、補助電池９の電池残量が第三所定ＢレベルＹ３以下であることが残量検出手段６によって検出されて、補助電池９の電池残量が第三所定ＢレベルＹ３以下であることを報知手段５が報知する。補助電池９の電源供給時間（累計の電源供給時間）Ｔ３は、Ｔ１よりも長い累計時間で設定される。
【００４８】
検知器１では、補助電池９の電池残量の所定Ｂレベルが、第一所定ＢレベルＹ１〜第三所定ＢレベルＹ３のうちから複数個の所定Ｂレベル（例えば、第一所定ＢレベルＹ１と第二所定ＢレベルＹ２）に選択されて設定されてもよい。
このとき、残量検出手段６が、補助電池９の電池残量が前記設定される複数個の所所定Ｂレベルであることをそれぞれ検出したとき、報知手段５が、補助電池９の電池残量が前記設定される複数個の所定Ｂレベルであることをそれぞれ報知する。
【００４９】
以上のように、報知手段５が、補助電池９の電池残量が第一所定ＢレベルＹ１〜第三所定ＢレベルＹ３のうちから選択されて設定される複数個の所定Ｂレベルであることを報知する、検知器１では、補助電池９の電池残量が無くなる直前であることを、補助電池９の電池残量に応じて複数段階で知らせることができる。
なお、補助電池９の電池残量の所定Ｂレベル（前記第一所定ＢレベルＹ１〜第三所定ＢレベルＹ３のうちから選択された所定Ｂレベル、または、第一所定ＢレベルＹ１〜第三所定ＢレベルＹ３の値）は、予め設定されて設定の変更ができない構成とすることもでき、操作部７を操作することによって設定を変更することができる構成とすることもできる。
【００５０】
次に、検知器１における、主電池８の電池残量が第一所定ＡレベルＸ１以下であること、または、補助電池９の電池残量が第一所定ＢレベルＹ１以下であること、を残量検出手段６が検出したときに、主電池８の電池残量が第一所定ＡレベルＸ１以下であること、または、補助電池９の電池残量が第一所定ＢレベルＹ１以下であること、を報知手段５が報知する一連の動作について、図７を用いて説明する。
【００５１】
図７に示すように、まず、検知器１では、残量検出手段６によって検出された主電池８の電池残量に基づいて、主電池８の電池残量が第一所定ＡレベルＸ１以下か否かについて制御部２が判断する（ステップＳ３１）。
主電池８の電池残量が第一所定ＡレベルＸ１以下でないと制御部２が判断した場合、ステップＳ３２に移行する。
主電池８の電池残量が第一所定ＡレベルＸ１以下と制御部２が判断した場合、ステップＳ３３に移行する。
【００５２】
次に、残量検出手段６によって検出された補助電池９の電池残量に基づいて、補助電池９の電池残量が第一所定ＢレベルＹ１以下か否かについて制御部２が判断する（ステップＳ３２）。
補助電池９の電池残量が第一所定ＢレベルＹ１以下でないと制御部２が判断した場合、ステップＳ３１に移行する。
補助電池９の電池残量が第一所定ＢレベルＹ１以下と制御部２が判断した場合、ステップＳ３３に移行する。
【００５３】
次に、主電池８の電池残量が第一所定ＡレベルＸ１以下であること、または、補助電池９の電池残量が第一所定ＢレベルＹ１以下であること、を報知手段５が報知する（ステップＳ３３）。
【００５４】
以上のようにして、主電池８の電池残量が第一所定ＡレベルＸ１以下であること、または、補助電池９の電池残量が第一所定ＢレベルＹ１以下であること、を残量検出手段６が検出したときに、主電池８の電池残量が第一所定ＡレベルＸ１以下であること、または、補助電池９の電池残量が第一所定ＢレベルＹ１以下であること、を報知手段５が報知する。
【００５５】
以上のように、主電池８の電池残量が第一所定ＡレベルＸ１以下であること、または、補助電池９の電池残量が第一所定ＢレベルＹ１以下であること、を報知手段５が報知する、検知器１では、主電池８の電池残量が第一所定ＡレベルＸ１以下であること、または、補助電池９の電池残量が第一所定ＢレベルＹ１以下であることを残量検出手段６が検出したときに報知手段５が報知することから、主電池８または補助電池９の電池残量が無くなる（電池切れ）ことを報知して、電池残量が無くなる直前まで主電池８または補助電池９を使用することができ、メンテナンス費用（主電池８または補助電池９の交換メンテナンス費用）が嵩むことを抑制することができる。
したがって、検知器１によれば、主電池８または補助電池９の交換を効率的に行うことができる。
【００５６】
このとき、検知器１では、主電池８の電池残量の所定Ａレベルは、第一所定ＡレベルＸ１〜第三所定ＡレベルＸ３のうちからいずれか一個の所定Ａレベル、または、複数個の所定Ａレベルに選択されて設定される構成とすることもできる。
また検知器１では、補助電池９の電池残量の所定Ｂレベルは、第一所定ＢレベルＹ１〜第三所定ＢレベルＹ３のうちからいずれか一個の所定Ｂレベル、または、複数個の所定Ｂレベルに選択されて設定される構成とすることもできる。
【００５７】
次に、検知器１における、主電池８の電池残量が第一所定ＡレベルＸ１以下であり且つ補助電池９の電池残量が第一所定ＢレベルＹ１以下であること、を残量検出手段６が検出したときに、主電池８の電池残量が第一所定ＡレベルＸ１以下であり且つ補助電池９の電池残量が第一所定ＢレベルＹ１以下であること、を報知手段５が報知する一連の動作について、図８を用いて説明する。
【００５８】
図８に示すように、まず、検知器１では、残量検出手段６によって検出された主電池８の電池残量に基づいて、主電池８の電池残量が第一所定ＡレベルＸ１以下か否かについて制御部２が判断する（ステップＳ４１）。
主電池８の電池残量が第一所定ＡレベルＸ１以下でないと制御部２が判断した場合、主電池８の電池残量が第一所定ＡレベルＸ１以下か否かについて制御部２が判断する動作（ステップＳ４１）を繰返し行う。
主電池８の電池残量が第一所定ＡレベルＸ１以下と制御部２が判断した場合、ステップＳ４２に移行する。
【００５９】
次に、残量検出手段６によって検出された補助電池９の電池残量に基づいて、補助電池９の電池残量が第一所定ＢレベルＹ１以下か否かについて制御部２が判断する（ステップＳ４２）。
補助電池９の電池残量が第一所定ＢレベルＹ１以下でないと制御部２が判断した場合、ステップＳ４１に移行する。
補助電池９の電池残量が第一所定ＢレベルＹ１以下と制御部２が判断した場合、ステップＳ４３に移行する。
【００６０】
次に、主電池８の電池残量が第一所定ＡレベルＸ１以下であり且つ補助電池９の電池残量が第一所定ＢレベルＹ１以下であること、を報知手段５が報知する（ステップＳ４３）。
【００６１】
以上のようにして、主電池８の電池残量が第一所定ＡレベルＸ１以下であり且つ補助電池９の電池残量が第一所定ＢレベルＹ１以下であること、を残量検出手段６が検出したときに、主電池８の電池残量が第一所定ＡレベルＸ１以下であり且つ補助電池９の電池残量が第一所定ＢレベルＹ１以下であること、を報知手段５が報知する。
【００６２】
以上のように、主電池８の電池残量が第一所定ＡレベルＸ１以下であり且つ補助電池９の電池残量が第一所定ＢレベルＹ１以下であること、を残量検出手段６が検出したときに、主電池８の電池残量が第一所定ＡレベルＸ１以下であり且つ補助電池９の電池残量が第一所定ＢレベルＹ１以下であること、を報知手段５が報知する、検知器１では、主電池８または補助電池９のいずれか一方の電池残量が残り少ない状態では報知せず、主電池８の電池残量が第一所定ＡレベルＸ１以下であり且つ補助電池９の電池残量が第一所定ＢレベルＹ１以下であるときに報知して、メンテナンス費用が嵩むことを抑制することができる。
【００６３】
このとき、検知器１では、主電池８の電池残量の所定Ｂレベルは、第一所定ＡレベルＸ１〜第三所定ＡレベルＸ３のうちからいずれか一個の所定Ｂレベル（例えば、第二所定ＡレベルＸ２、または、第三所定ＡレベルＸ３）に選択されて設定される構成とすることもできる。
また検知器１では、補助電池９の電池残量の所定Ｂレベルは、第一所定ＢレベルＹ１〜第三所定ＢレベルＹ３のうちからいずれか一個の所定Ｂレベル（例えば、第二所定ＢレベルＹ２、または、第三所定ＢレベルＹ３）に選択されて設定される構成とすることもできる。
【００６４】
例えば、主電池８の電池残量が第一所定ＡレベルＸ１以下であり且つ補助電池９の電池残量が第二所定ＢレベルＹ２以下であること、を残量検出手段６が検出したときに、主電池８の電池残量が第一所定ＡレベルＸ１以下であり且つ補助電池９の電池残量が第二所定ＢレベルＹ２以下であること、を報知手段５が報知する設定の検知器１では、主電池８または補助電池９のいずれか一方の電池残量が残り少ない状態では報知せず、主電池８の電池残量が第一所定ＡレベルＸ１以下であり且つ補助電池９の電池残量が第二所定ＢレベルＹ２以下であるときに報知して、メンテナンス費用が嵩むことを抑制することができる。また、検知器１では、補助電池９の電池残量が無くなった状態となることをより確実に防止することができる。
【００６５】
例えば、主電池８の電池残量が第一所定ＡレベルＸ１以下であり且つ補助電池９の電池残量が第三所定ＢレベルＹ３以下であること、を残量検出手段６が検出したときに、主電池８の電池残量が第一所定ＡレベルＸ１以下であり且つ補助電池９の電池残量が第三所定ＢレベルＹ３以下であること、を報知手段５が報知する設定の検知器１では、主電池８または補助電池９のいずれか一方の電池残量が残り少ない状態では報知せず、主電池８の電池残量が第一所定ＡレベルＸ１以下であり且つ補助電池９の電池残量が第三所定ＢレベルＹ３以下であるときに報知して、電池残量が無くなる直前まで補助電池９を使用することができ、メンテナンス費用が嵩むことを抑制することができる。
【００６６】
例えば、主電池８の電池残量が第二所定ＡレベルＸ２以下であり且つ補助電池９の電池残量が第二所定ＢレベルＹ２以下であること、を残量検出手段６が検出したときに、主電池８の電池残量が第二所定ＡレベルＸ２以下であり且つ補助電池９の電池残量が第二所定ＢレベルＹ２以下であること、を報知手段５が報知する設定の検知器１では、主電池８または補助電池９のいずれか一方の電池残量が残り少ない状態では報知せず、主電池８の電池残量が第二所定ＡレベルＸ２以下であり且つ補助電池９の電池残量が第二所定ＢレベルＹ２以下であるときに報知して、メンテナンス費用が嵩むことを抑制することができる。また、検知器１では、主電池８と補助電池９の電池残量が無くなった状態となることをより確実に防止することができる。
【００６７】
例えば、主電池８の電池残量が第二所定ＡレベルＸ２以下であり且つ補助電池９の電池残量が第三所定ＢレベルＹ３以下であること、を残量検出手段６が検出したときに、主電池８の電池残量が第二所定ＡレベルＸ２以下であり且つ補助電池９の電池残量が第三所定ＢレベルＹ３以下であること、を報知手段５が報知する設定の検知器１では、主電池８または補助電池９のいずれか一方の電池残量が残り少ない状態では報知せず、主電池８の電池残量が第二所定ＡレベルＸ２以下であり且つ補助電池９の電池残量が第三所定ＢレベルＹ３以下であるときに報知して、電池残量が無くなる直前まで補助電池９を使用することができ、メンテナンス費用が嵩むことを抑制することができる。また、検知器１では、主電池８の電池残量が無くなった状態となることをより確実に防止することができる。
【００６８】
例えば、主電池８の電池残量が第三所定ＡレベルＸ３以下であり且つ補助電池９の電池残量が第三所定ＢレベルＹ３以下であること、を残量検出手段６が検出したときに、主電池８の電池残量が第三所定ＡレベルＸ３以下であり且つ補助電池９の電池残量が第三所定ＢレベルＹ３以下であること、を報知手段５が報知する設定の検知器１では、主電池８または補助電池９のいずれか一方の電池残量が残り少ない状態では報知せず、主電池８の電池残量が第三所定ＡレベルＸ３以下であり且つ補助電池９の電池残量が第三所定ＢレベルＹ３以下であるときに報知して、電池残量が無くなる直前まで主電池８と補助電池９を使用することができ、メンテナンス費用が嵩むことを抑制することができる。
【００６９】
例えば、主電池８の電池残量が第二所定ＡレベルＸ２以下であり且つ補助電池９の電池残量が第一所定ＢレベルＹ１以下であること、を残量検出手段６が検出したときに、主電池８の電池残量が第二所定ＡレベルＸ２以下であり且つ補助電池９の電池残量が第一所定ＢレベルＹ１以下であること、を報知手段５が報知する設定の検知器１では、主電池８または補助電池９のいずれか一方の電池残量が残り少ない状態では報知せず、主電池８の電池残量が第二所定ＡレベルＸ２以下であり且つ補助電池９の電池残量が第一所定ＢレベルＹ１以下であるときに報知して、メンテナンス費用が嵩むことを抑制することができる。また、検知器１では、主電池８の電池残量が無くなった状態となることをより確実に防止することができる。
【００７０】
例えば、主電池８の電池残量が第三所定ＡレベルＸ３以下であり且つ補助電池９の電池残量が第一所定ＢレベルＹ１以下であること、を残量検出手段６が検出したときに、主電池８の電池残量が第三所定ＡレベルＸ３以下であり且つ補助電池９の電池残量が第一所定ＢレベルＹ１以下であること、を報知手段５が報知する設定の検知器１では、主電池８または補助電池９のいずれか一方の電池残量が残り少ない状態では報知せず、主電池８の電池残量が第三所定ＡレベルＸ３以下であり且つ補助電池９の電池残量が第一所定ＢレベルＹ１以下であるときに報知して、電池残量が無くなる直前まで主電池８を使用することができ、メンテナンス費用が嵩むことを抑制することができる。
【００７１】
検知器１では、主電池８の電池残量が第一所定ＡレベルＸ１以下であることまたは補助電池９の電池残量が第一所定ＢレベルＹ１以下であることを残量検出手段６が検出したときに、主電池８の電池残量が第一所定ＡレベルＸ１以下であることまたは補助電池９の電池残量が第一所定ＢレベルＹ１以下であることを報知手段５が報知する設定と、主電池８の電池残量が第一所定ＡレベルＸ１以下であり且つ補助電池９の電池残量が第一所定ＢレベルＹ１以下であることを残量検出手段６が検出したときに、主電池８の電池残量が第一所定ＡレベルＸ１以下であり且つ補助電池９の電池残量が第一所定ＢレベルＹ１以下であることを報知手段５が報知する設定と、を組合わせて構成することもできる。
このとき、検知器１では、主電池８の電池残量の所定Ａレベルは、第一所定ＡレベルＸ１〜第三所定ＡレベルＸ３のうちからいずれか一個の所定Ａレベル、または、複数個の所定Ａレベルに選択されて設定される構成とすることもできる。
また検知器１では、補助電池９の電池残量の所定Ｂレベルは、第一所定ＢレベルＹ１〜第三所定ＢレベルＹ３のうちからいずれか一個の所定Ｂレベル、または、複数個の所定Ｂレベルに選択されて設定される構成とすることもできる。
【００７２】
例えば、主電池８の電池残量が第一所定ＡレベルＸ１以下であること、補助電池９の電池残量が第一所定ＢレベルＹ１以下であること、または、主電池８の電池残量が第二所定ＡレベルＸ２以下であり且つ補助電池９の電池残量が第二所定ＢレベルＹ２以下であること、を残量検出手段６が検出したときに、主電池８の電池残量が第一所定ＡレベルＸ１以下であること、補助電池９の電池残量が第一所定ＢレベルＹ１以下であること、または、主電池８の電池残量が第二所定ＡレベルＸ２以下であり且つ補助電池９の電池残量が第二所定ＢレベルＹ２以下であること、を報知手段５が報知する設定の検知器１では、第一所定ＡレベルＸ１において主電池８の電池残量が無くなることを報知し、また、第一所定ＢレベルＹ１において補助電池９の電池残量が無くなることを報知して、電池残量が無くなる直前まで主電池８または補助電池９を使用することができ、メンテナンス費用が嵩むことを抑制することができる。さらに、検知器１では、主電池８の電池残量が第二所定ＡレベルＸ２となり且つ補助電池９の残量が第二所定ＢレベルＹ２となった状態で報知して、主電池８と補助電池９の電池残量が無くなった状態となることをより確実に防止することができる。
【００７３】
例えば、主電池８の電池残量が第一所定ＡレベルＸ１以下であり且つ補助電池９の電池残量が第一所定ＢレベルＹ１以下であること、または、主電池８の電池残量が第三所定ＡレベルＸ３以下であり且つ補助電池９の電池残量が第二所定ＢレベルＹ２以下であること、を残量検出手段６が検出したときに、主電池８の電池残量が第一所定ＡレベルＸ１以下であり且つ補助電池９の電池残量が第一所定ＢレベルＹ１以下であること、または、主電池８の電池残量が第三所定ＡレベルＸ３以下であり且つ補助電池９の電池残量が第二所定ＢレベルＹ２以下であること、を報知手段５が報知する設定の検知器１では、主電池８または補助電池９のいずれか一方の電池残量が残り少ない状態では報知せず、主電池８の電池残量が第一所定ＡレベルＸ１となり且つ補助電池９の残量が第一所定ＢレベルＹ１となった状態、または、主電池８の電池残量が第三所定ＡレベルＸ３となり且つ補助電池９の残量が第二所定ＢレベルＹ２となった状態で報知して、主電池８と補助電池９の電池残量が無くなった状態となることをより確実に防止することができる。
【００７４】
例えば、主電池８の電池残量が第一所定ＡレベルＸ１以下であり且つ補助電池９の電池残量が第一所定ＢレベルＹ１以下であること、主電池８の電池残量が第三所定ＡレベルＸ３以下であること、または、補助電池９の電池残量が第三所定ＢレベルＹ３以下であること、を残量検出手段６が検出したときに、主電池８の電池残量が第一所定ＡレベルＸ１以下であり且つ補助電池９の電池残量が第一所定ＢレベルＹ１以下であること、主電池８の電池残量が第三所定ＡレベルＸ３以下であること、または、補助電池９の電池残量が第三所定ＢレベルＹ３以下であること、を報知手段５が報知する設定の検知器１では、主電池８の電池残量が第一所定ＡレベルＸ１となり、または、補助電池９の残量が第一所定ＢレベルＹ１となった状態では報知せず、主電池８の電池残量が第一所定ＡレベルＸ１となり且つ補助電池９の残量が第一所定ＢレベルＹ１となった状態で報知して、メンテナンス費用が嵩むことを抑制することができる。さらに、検知器１では、第三所定ＡレベルＸ３において主電池８の電池残量が無くなることを報知し、また、第三所定ＢレベルＹ３において補助電池９の電池残量が無くなることを報知して、主電池８または補助電池９の電池残量が無くなった状態となることをより確実に防止することができる。
【００７５】
また、検知器１では、以上のように複数段階で報知手段５が報知する構成のときに、報知手段５が報知する条件毎に、報知手段５が報知する態様が異なるように構成することもできる。
例えば、報知手段５は、主電池８の電池残量が第一所定ＡレベルＸ１以下であるときに報知する態様と、補助電池９の電池残量が第一所定ＡレベルＸ１以下であるときに報知する態様と、主電池８の電池残量が第二所定ＡレベルＸ２以下であり且つ補助電池９の電池残量が第二所定ＡレベルＸ２以下であるときに報知する態様と、が異なるように構成される。
このように構成される検知器１では、報知手段５が報知する条件毎に、主電池８または補助電池９の電池残量が低下したことを作業者に認識させることができる。
【００７６】
検知器１では、補助電池９の電池残量によって、報知手段５が報知する主電池８の電池残量の第一所定ＡレベルＸ１が変動する構成とすることもできる。
以下において、補助電池９の電池残量によって報知手段５が報知する主電池８の電池残量の第一所定ＡレベルＸ１が変動し、変動した主電池８の電池残量の第一所定ＡレベルＸ１であることを報知手段５が報知する一連の動作について、図９を用いて説明する。
【００７７】
図９に示すように、まず、検知器１では、残量検出手段６が補助電池９の電池残量を検出する（ステップＳ５１）。
残量検出手段６が補助電池９の電池残量を検出した後、ステップＳ５２に移行する。
【００７８】
次に、残量検出手段６によって検出された補助電池９の電池残量によって、主電池８の電池残量の第一所定ＡレベルＸ１を変動させる制御を制御部２が行う（ステップＳ５２）。
このとき、制御部２は、残量検出手段６によって検出された補助電池９の電池残量が比較的多い場合には、主電池８の電池残量の第一所定ＡレベルＸ１の値を比較的低く設定し、残量検出手段６によって検出された補助電池９の電池残量が比較的少ない場合には、主電池８の電池残量の第一所定ＡレベルＸ１の値を比較的高く設定する制御を行う。
残量検出手段６によって検出された補助電池９の電池残量によって、主電池８の電池残量の第一所定ＡレベルＸ１を変動させる制御を制御部２が行った後、ステップＳ５３に移行する。
【００７９】
次に、残量検出手段６が主電池８の電池残量を検出する（ステップＳ５３）。
残量検出手段６が主電池８の電池残量を検出した後、ステップＳ５４に移行する。
【００８０】
次に、残量検出手段６によって検出された主電池８の電池残量に基づいて、主電池８の電池残量が第一所定ＡレベルＸ１以下か否かについて制御部２が判断する（ステップＳ５４）。
このとき、ステップＳ５３において変動された第一所定ＡレベルＸ１に基づいて、主電池８の電池残量が第一所定ＡレベルＸ１以下か否かについて制御部２が判断する。
主電池８の電池残量が第一所定ＡレベルＸ１以下でないと制御部２が判断した場合、ステップＳ５１に移行する。
主電池８の電池残量が第一所定ＡレベルＸ１以下と制御部２が判断した場合、ステップＳ５５に移行する。
【００８１】
次に、主電池８の電池残量が第一所定ＡレベルＸ１以下であることを報知手段５が報知する（ステップＳ５５）。
【００８２】
以上のようにして、補助電池９の電池残量によって報知手段５が報知する主電池８の電池残量の第一所定ＡレベルＸ１が変動し、変動した主電池８の電池残量の第一所定ＡレベルＸ１であることを報知手段５が報知する。
【００８３】
報知手段５が報知する主電池８の電池残量の第一所定ＡレベルＸ１が変動する構成において、補助電池９の電池残量が第一所定ＢレベルＹ１〜第三所定ＢレベルＹ３以下のいずれかによって主電池８の電池残量の第一所定ＡレベルＸ１が第一所定ＡレベルＸ１〜第三所定ＡレベルＸ３のいずれかに変動し（または第一所定ＡレベルＸ１が変動せず）、変動した主電池８の電池残量の所定Ａレベル（または変動しない所定Ａレベル）であることを報知手段５が報知する構成とすることもできる。
以下において、補助電池９の電池残量が第一所定ＢレベルＹ１〜第三所定ＢレベルＹ３以下のいずれかによって主電池８の電池残量の第一所定ＡレベルＸ１が第一所定ＡレベルＸ１〜第三所定ＡレベルＸ３のいずれかに変動し、変動した主電池８の電池残量の所定Ａレベルであることを報知手段５が報知する一連の動作について、図１０を用いて説明する。
【００８４】
図１０に示すように、まず、検知器１では、残量検出手段６によって検出された補助電池９の電池残量に基づいて、補助電池９の電池残量が第三所定ＢレベルＹ３以下か否かについて制御部２が判断する（ステップＳ６１）。
補助電池９の電池残量が第三所定ＢレベルＹ３以下と制御部２が判断した場合、ステップＳ６２に移行する。
補助電池９の電池残量が第三所定ＢレベルＹ３以下でないと制御部２が判断した場合、ステップＳ６３に移行する。
【００８５】
次に、残量検出手段６によって検出された主電池８の電池残量に基づいて、主電池８の電池残量が第二所定ＡレベルＸ２以下か否かについて制御部２が判断する（ステップＳ６２）。
主電池８の電池残量が第二所定ＡレベルＸ２以下と制御部２が判断した場合、ステップＳ６７に移行する。
主電池８の電池残量が第二所定ＡレベルＸ２以下でないと制御部２が判断した場合、ステップＳ６１に移行する。
【００８６】
次に、残量検出手段６によって検出された補助電池９の電池残量に基づいて、補助電池９の電池残量が第一所定ＢレベルＹ１以下か否かについて制御部２が判断する（ステップＳ６３）。
補助電池９の電池残量が第一所定ＢレベルＹ１以下と制御部２が判断した場合、ステップＳ６４に移行する。
補助電池９の電池残量が第一所定ＢレベルＹ１以下でないと制御部２が判断した場合、ステップＳ６５に移行する。
【００８７】
次に、残量検出手段６によって検出された主電池８の電池残量に基づいて、主電池８の電池残量が第一所定ＡレベルＸ１以下か否かについて制御部２が判断する（ステップＳ６４）。
主電池８の電池残量が第一所定ＡレベルＸ１以下と制御部２が判断した場合、ステップＳ６７に移行する。
主電池８の電池残量が第一所定ＡレベルＸ１以下でないと制御部２が判断した場合、ステップＳ６１に移行する。
【００８８】
次に、残量検出手段６によって検出された補助電池９の電池残量に基づいて、補助電池９の電池残量が第二所定ＢレベルＹ２以下か否かについて制御部２が判断する（ステップＳ６５）。
補助電池９の電池残量が第二所定ＢレベルＹ２以下と制御部２が判断した場合、ステップＳ６６に移行する。
補助電池９の電池残量が第二所定ＢレベルＹ２以下でないと制御部２が判断した場合、ステップＳ６１に移行する。
【００８９】
次に、残量検出手段６によって検出された主電池８の電池残量に基づいて、主電池８の電池残量が第三所定ＡレベルＸ３以下か否かについて制御部２が判断する（ステップＳ６６）。
主電池８の電池残量が第三所定ＡレベルＸ３以下と制御部２が判断した場合、ステップＳ６７に移行する。
主電池８の電池残量が第三所定ＡレベルＸ３以下でないと制御部２が判断した場合、ステップＳ６１に移行する。
【００９０】
以上のようにして、補助電池９の電池残量が第一所定ＢレベルＹ１〜第三所定ＢレベルＹ３以下のいずれかによって主電池８の電池残量の第一所定ＡレベルＸ１が第一所定ＡレベルＸ１〜第三所定ＡレベルＸ３のいずれかに変動し、変動した主電池８の電池残量の所定Ａレベルであることを報知手段５が報知する。
【００９１】
以上のように、補助電池９の電池残量によって報知手段５が報知する主電池８の電池残量の第一所定ＡレベルＸ１が変動する、検知器１では、残量検出手段６によって検出された補助電池９の電池残量が比較的多い場合には、主電池８の電池残量の第一所定ＡレベルＸ１の値を比較的低く、残量検出手段６によって検出された補助電池９の電池残量が比較的少ない場合には、主電池８の電池残量の第一所定ＡレベルＸ１の値を比較的高く、緊急度に応じて主電池８の電池残量の第一所定ＡレベルＸ１を変動させる。
したがって、検知器１によれば、メンテナンス費用が嵩むことを抑制しつつ、主電池８と補助電池９の電池残量が無くなった状態となることをより確実に防止することができる。
【００９２】
また以上のように、補助電池９の電池残量が第一所定ＢレベルＹ１以下であることを残量検出手段６が検出したときには、報知手段５は、主電池８の電池残量が第一所定ＡレベルＸ１以下であることを残量検出手段６が検出したときに報知する、検知器１では、残量検出手段６によって検出された補助電池９の電池残量が第一所定ＢレベルＹ１の場合には、主電池８の電池残量の第一所定ＡレベルＸ１の値を変動させず、緊急度に応じて主電池８の電池残量の第一所定ＡレベルＸ１を設定する。
また以上のように、補助電池９の電池残量が第二所定ＢレベルＹ２以下であることを残量検出手段６が検出したときには、報知手段５は、主電池８の電池残量が第三所定ＡレベルＸ３以下であることを残量検出手段６が検出したときに報知し、補助電池９の電池残量が第三所定ＢレベルＹ３以下であることを残量検出手段６が検出したときには、報知手段５は、主電池８の電池残量が第二所定ＡレベルＸ２以下であることを残量検出手段６が検出したときに報知する、検知器１では、残量検出手段６によって検出された補助電池９の電池残量が比較的多い場合には、主電池８の電池残量の第一所定ＡレベルＸ１の値を比較的低く、残量検出手段６によって検出された補助電池９の電池残量が比較的少ない場合には、主電池８の電池残量の第一所定ＡレベルＸ１の値を比較的高く、緊急度に応じて主電池８の電池残量の第一所定ＡレベルＸ１を変動させる。
したがって、検知器１によれば、メンテナンス費用が嵩むことを抑制しつつ、主電池８と補助電池９の電池残量が無くなった状態となることをより確実に防止することができる。
【００９３】
検知器１では、主電池８の電池残量によって、報知手段５が報知する補助電池９の電池残量の第一所定ＢレベルＹ１が変動する構成とすることもできる。
以下において、主電池８の電池残量によって報知手段５が報知する補助電池９の電池残量の第一所定ＢレベルＹ１が変動し、変動した補助電池９の電池残量の第一所定ＢレベルＹ１であることを報知手段５が報知する一連の動作について、図１１を用いて説明する。
【００９４】
図１１に示すように、まず、検知器１では、残量検出手段６が主電池８の電池残量を検出する（ステップＳ７１）。
残量検出手段６が主電池８の電池残量を検出した後、ステップＳ７２に移行する。
【００９５】
次に、残量検出手段６によって検出された主電池８の電池残量によって、補助電池９の電池残量の第一所定ＢレベルＹ１を変動させる制御を制御部２が行う（ステップＳ７２）。
このとき、制御部２は、残量検出手段６によって検出された主電池８の電池残量が比較的多い場合には、補助電池９の電池残量の第一所定ＢレベルＹ１の値を比較的低く設定し、残量検出手段６によって検出された主電池８の電池残量が比較的少ない場合には、補助電池９の電池残量の第一所定ＢレベルＹ１の値を比較的高く設定する制御を行う。
残量検出手段６によって検出された主電池８の電池残量によって、補助電池９の電池残量の第一所定ＢレベルＹ１を変動させる制御を制御部２が行った後、ステップＳ７３に移行する。
【００９６】
次に、残量検出手段６が補助電池９の電池残量を検出する（ステップＳ７３）。
残量検出手段６が補助電池９の電池残量を検出した後、ステップＳ７４に移行する。
【００９７】
次に、残量検出手段６によって検出された補助電池９の電池残量に基づいて、補助助電池の電池残量が第一所定ＢレベルＹ１以下か否かについて制御部２が判断する（ステップＳ７４）。
このとき、ステップＳ７３において変動された第一所定ＢレベルＹ１に基づいて、補助電池９の電池残量が第一所定ＢレベルＹ１以下か否かについて制御部２が判断する。
補助電池９の電池残量が第一所定ＢレベルＹ１以下でないと制御部２が判断した場合、ステップＳ７１に移行する。
補助電池９の電池残量が第一所定ＢレベルＹ１以下と制御部２が判断した場合、ステップＳ７５に移行する。
【００９８】
次に、補助電池９の電池残量が第一所定ＢレベルＹ１以下であることを報知手段５が報知する（ステップＳ７５）。
【００９９】
以上のようにして、主電池８の電池残量によって報知手段５が報知する補助電池９の電池残量の第一所定ＢレベルＹ１が変動し、変動した補助電池９の電池残量の第一所定ＢレベルＹ１であることを報知手段５が報知する。
【０１００】
報知手段５が報知する補助電池９の電池残量の第一所定ＢレベルＹ１が変動する構成において、主電池８の電池残量が第一所定ＡレベルＸ１〜第三所定ＡレベルＸ３以下のいずれかによって補助電池９の電池残量の第一所定ＢレベルＹ１が第一所定ＢレベルＹ１〜第三所定ＢレベルＹ３のいずれかに変動し（または第一所定ＢレベルＹ１が変動せず）、変動した補助電池９の電池残量の所定Ｂレベル（または変動しない所定Ｂレベル）であることを報知手段５が報知する構成とすることもできる。
以下において、主電池８の電池残量が第一所定ＡレベルＸ１〜第三所定ＡレベルＸ３以下のいずれかによって補助電池９の電池残量の第一所定ＢレベルＹ１が第一所定ＢレベルＹ１〜第三所定ＢレベルＹ３のいずれかに変動し、変動した補助電池９の電池残量の所定Ｂレベルであることを報知手段５が報知する一連の動作について、図１２を用いて説明する。
【０１０１】
図１２に示すように、まず、検知器１では、残量検出手段６によって検出された主電池８の電池残量に基づいて、主電池８の電池残量が第三所定ＡレベルＸ３以下か否かについて制御部２が判断する（ステップＳ８１）。
主電池８の電池残量が第三所定ＡレベルＸ３以下と制御部２が判断した場合、ステップＳ８２に移行する。
主電池８の電池残量が第三所定ＡレベルＸ３以下でないと制御部２が判断した場合、ステップＳ８３に移行する。
【０１０２】
次に、残量検出手段６によって検出された補助電池９の電池残量に基づいて、補助電池９の電池残量が第二所定ＢレベルＹ２以下か否かについて制御部２が判断する（ステップＳ８２）。
補助電池９の電池残量が第二所定ＢレベルＹ２以下と制御部２が判断した場合、ステップＳ８７に移行する。
補助電池９の電池残量が第二所定ＢレベルＹ２以下でないと制御部２が判断した場合、ステップＳ８１に移行する。
【０１０３】
次に、残量検出手段６によって検出された主電池８の電池残量に基づいて、主電池８の電池残量が第一所定ＡレベルＸ１以下か否かについて制御部２が判断する（ステップＳ８３）。
主電池８の電池残量が第一所定ＡレベルＸ１以下と制御部２が判断した場合、ステップＳ８４に移行する。
主電池８の電池残量が第一所定ＡレベルＸ１以下でないと制御部２が判断した場合、ステップＳ８５に移行する。
【０１０４】
次に、残量検出手段６によって検出された補助電池９の電池残量に基づいて、補助電池９の電池残量が第一所定ＢレベルＹ１以下か否かについて制御部２が判断する（ステップＳ８４）。
補助電池９の電池残量が第一所定ＢレベルＹ１以下と制御部２が判断した場合、ステップＳ８７に移行する。
補助電池９の電池残量が第一所定ＢレベルＹ１以下でないと制御部２が判断した場合、ステップＳ８１に移行する。
【０１０５】
次に、残量検出手段６によって検出された主電池８の電池残量に基づいて、主電池８の電池残量が第二所定ＡレベルＸ２以下か否かについて制御部２が判断する（ステップＳ８５）。
主電池８の電池残量が第二所定ＡレベルＸ２以下と制御部２が判断した場合、ステップＳ８６に移行する。
主電池８の電池残量が第二所定ＡレベルＸ２以下でないと制御部２が判断した場合、ステップＳ８１に移行する。
【０１０６】
次に、残量検出手段６によって検出された補助電池９の電池残量に基づいて、補助電池９の電池残量が第三所定ＢレベルＹ３以下か否かについて制御部２が判断する（ステップＳ８６）。
補助電池９の電池残量が第三所定ＢレベルＹ３以下と制御部２が判断した場合、ステップＳ８７に移行する。
補助電池９の電池残量が第三所定ＢレベルＹ３以下でないと制御部２が判断した場合、ステップＳ８１に移行する。
【０１０７】
以上のようにして、主電池８の電池残量が第一所定ＡレベルＸ１〜第三所定ＡレベルＸ３以下のいずれかによって補助電池９の電池残量の第一所定ＢレベルＹ１が第一所定ＢレベルＹ１〜第三所定ＢレベルＹ３のいずれかに変動し、変動した補助電池９の電池残量の第一所定ＢレベルＹ１であることを報知手段５が報知する。
【０１０８】
以上のように、主電池８の電池残量によって報知手段５が報知する補助電池９の電池残量の第一所定ＢレベルＹ１が変動する、検知器１では、残量検出手段６によって検出された主電池８の電池残量が比較的多い場合には、補助電池９の電池残量の第一所定ＢレベルＹ１の値を比較的低く、残量検出手段６によって検出された主電池８の電池残量が比較的少ない場合には、補助電池９の電池残量の第一所定ＢレベルＹ１の値を比較的高く、緊急度に応じて補助電池９の電池残量の第一所定ＢレベルＹ１を変動させる。
したがって、検知器１によれば、メンテナンス費用が嵩むことを抑制しつつ、主電池８と補助電池９の電池残量が無くなった状態となることをより確実に防止することができる。
【０１０９】
検知器１では、主電池８の電池残量が第一所定ＡレベルＸ１以下であることまたは補助電池９の電池残量が第一所定ＢレベルＹ１以下であることを残量検出手段６が検出したときに、主電池８の電池残量が第一所定ＡレベルＸ１以下であることまたは補助電池９の電池残量が第一所定ＢレベルＹ１以下であることを報知手段５が報知する設定と、主電池８の電池残量が第一所定ＡレベルＸ１以下であり且つ補助電池９の電池残量が第一所定ＢレベルＹ１以下であることを残量検出手段６が検出したときに、主電池８の電池残量が第一所定ＡレベルＸ１以下であり且つ補助電池９の電池残量が第一所定ＢレベルＹ１以下であることを報知手段５が報知する設定と、を組合わせて構成することに加えて、補助電池９の電池残量によって報知手段５が報知する主電池８の電池残量の第一所定ＡレベルＸ１が変動する構成とし、また、主電池８の電池残量によって報知手段５が報知する補助電池９の電池残量の第一所定ＢレベルＹ１が変動する構成とすることもできる。
【符号の説明】
【０１１０】
１    検知器
２    制御部
３    センサ（検知手段）
４    計時手段
５    報知手段
６    残量検出手段
７    操作部
８    主電池
９    補助電池
１０  記憶装置
１１  表示部
１２  ランプ部
【図１】
2016223816.tif 000003
【図２】
2016223816.tif 000004
【図３】
2016223816.tif 000005
【図４】
2016223816.tif 000006
【図５】
2016223816.tif 000007
【図６】
2016223816.tif 000008
【図７】
2016223816.tif 000009
【図８】
2016223816.tif 000010
【図９】
2016223816.tif 000011
【図１０】
2016223816.tif 000012
【図１１】
2016223816.tif 000013
【図１２】
2016223816.tif 000014